【事件の表示】
　特願２００３−　７５１０１「カレンダー時計」拒絶査定不服審判事件〔平成１６年１０月　７日出願公開、特開２００４−２７９３８１〕について、次のとおり審決する。
【結　論】
　本件審判の請求は、成り立たない。
【理　由】
第１　手続の経緯
　本願は、平成１５年３月１９日の出願であって、平成２０年６月９日付けで手続補正がなされ、平成２０年１２月１８日付け（送達日：平成２０年１２月２４日）で拒絶査定がなされ、これに対し、平成２１年１月２２日に拒絶査定不服審判の請求がなされれるとともに、同年２月１３日付けで手続補正がなされたものである。
　
第２　平成２１年２月１３日付けの手続補正についての補正却下の決定
［補正却下の決定の結論］
　平成２１年２月１３日付けの手続補正（以下、「本件補正」という。）を却下する。
［理由］
　１　補正の内容
　　本件補正は、特許請求の範囲の記載を補正前の、
「　【請求項１】　文字板上にカレンダー窓を設け、前記文字板の下面に、周辺部に１〜３１までの日付文字を記した日車や日曜日〜土曜日までの曜日文字を記した曜車を配置し、前記日車や前記曜車を日毎に回転させて前記カレンダー窓に、前記日付文字や前記曜日文字を覗かせることによって、日付や曜日の表示を行うカレンダー時計において、
　前記カレンダー窓は文字板の3時と9時を結ぶ線に平行な横方向の二辺とこの横方向の二辺に直角な縦方向の二辺とよりなる四辺で構成され、且つ横方向の二辺が縦方向の二辺より長く形成されており、前記四辺のうちの前記横方向の二辺はそれぞれ同じ曲率半径であるｒ１を有する曲線によって前記カレンダー窓の外側に向かって膨らんだ樽型の形状をなしていると共に前記曲率半径ｒ１を４．０〜６．０ｍｍの範囲に設けることを特徴とするカレンダー時計。
　【請求項２】　前記カレンダー窓は、更に、前記縦方向の辺の内前記文字板の外周側の一辺が所定の曲率を有する曲線によって前記カレンダー窓の外側に向かって膨らむ形状をなしていることを特徴とする請求項１に記載のカレンダー時計。
　【請求項３】　前記カレンダー窓の縦方向の辺で前記文字板の中心側の一辺は所定の曲率を有する曲線によって前記カレンダー窓の内側に向かって膨らむ形状をもなしていることを特徴とする請求項２に記載のカレンダー時計。
　【請求項４】　前記カレンダー窓の縁周囲に窓枠を設けてあることを特徴とする請求項１、２、３のいずれか１つに記載のカレンダー時計。
　【請求項５】　前記カレンダー窓の内側に沿って、所定の幅で外側に向かって段部を設けてあることを特徴とする請求項１、２、３のいずれか１つに記載のカレンダー時計。
　【請求項６】　前記カレンダー窓の内周壁は下面側から上面側に向かって広がる斜面形状に形成されていることを特徴とする請求項１、２、３のいずれか１つに記載のカレンダー時計。
　【請求項７】　前記カレンダー窓の曲線からなる縦方向の辺のうち、前記文字板の外周側の辺の曲率半径は、前記日車などの外径の曲率半径より小さく、且つ、前記外周側の辺が日車などの外径より外に飛び出さない範囲の大きさの曲率半径であることを特徴とする請求項２又は３のいずれか１つに記載のカレンダー時計。
　【請求項８】　前記カレンダー窓の曲線からなる縦方向の辺のうち、前記文字板の中心側の辺の曲率半径は、日車などの歯元径の曲率半径より大きく、且つ、中心側の辺が前記日車などの歯元径より外（中心方向）に飛び出さない範囲の大きさの曲率半径であることを特徴とする請求項３に記載のカレンダー時計。」から、
補正後の、
「　【請求項１】　文字板上にカレンダー窓を設け、前記文字板の下面に、周辺部に１〜３１までの日付文字を記したリング状の日車や日曜日〜土曜日までの曜日文字を記した曜車を配置し、前記日車や前記曜車を日毎に回転させて前記カレンダー窓に、前記日付文字や前記曜日文字を覗かせることによって、日付や曜日の表示を行うカレンダー時計において、
　前記カレンダー窓は、３時〜５時の位置にあって、前記文字板の3時と9
時を結ぶ線に平行な横方向の二辺とこの横方向の二辺に直角な縦方向の二辺とよりなる四辺で構成され、且つ横方向の二辺が縦方向の二辺より長く形成されていると共に、前記横方向の二辺は前記カレンダー窓に表示されている前記日付文字とその隣の日付文字の間又は前記カレンダー窓に表示されている前記曜日文字とその隣の曜日文字との間に設けられ、更に前記四辺のうちの前記横方向の二辺はそれぞれ同じ曲率半径であるｒ１を有する曲線によって前記カレンダー窓の外側に向かって膨らんだ樽型の形状をなしていると共に前記曲率半径ｒ１を４．０〜６．０ｍｍの範囲に設けることを特徴とするカレンダー時計。
　【請求項２】　前記カレンダー窓は、更に、前記縦方向の辺の内前記文字板の外周側の一辺が所定の曲率を有する曲線によって前記カレンダー窓の外側に向かって膨らむ形状をなしていることを特徴とする請求項１に記載のカレンダー時計。
　【請求項３】　前記カレンダー窓の縦方向の辺で前記文字板の中心側の一辺は所定の曲率を有する曲線によって前記カレンダー窓の内側に向かって膨らむ形状をもなしていることを特徴とする請求項２に記載のカレンダー時計。
　【請求項４】　前記カレンダー窓の縁周囲に窓枠を設けてあることを特徴とする請求項１、２、３のいずれか１つに記載のカレンダー時計。
　【請求項５】　前記カレンダー窓の内側に沿って、所定の幅で外側に向かって段部を設けてあることを特徴とする請求項１、２、３のいずれか１つに記載のカレンダー時計。
　【請求項６】　前記カレンダー窓の内周壁は下面側から上面側に向かって広がる斜面形状に形成されていることを特徴とする請求項１、２、３のいずれか１つに記載のカレンダー時計。
　【請求項７】　前記カレンダー窓の曲線からなる縦方向の辺のうち、前記文字板の外周側の辺の曲率半径は、前記日車などの外径の曲率半径より小さく、且つ、前記外周側の辺が日車などの外径より外に飛び出さない範囲の大きさの曲率半径であることを特徴とする請求項２又は３のいずれか１つに記載のカレンダー時計。
　【請求項８】　前記カレンダー窓の曲線からなる縦方向の辺のうち、前記文字板の中心側の辺の曲率半径は、日車などの歯元径の曲率半径より大きく、且つ、中心側の辺が前記日車などの歯元径より外（中心方向）に飛び出さない範囲の大きさの曲率半径であることを特徴とする請求項３に記載のカレンダー時計。」
に補正しようとすることを含むものである。
　
　上記補正により、補正前の請求項１に記載した発明を特定するために必要な事項（以下、「発明特定事項」という。）について、以下のとおりの限定がなされた。
（１）「日車」の形状に関して、「リング状の」との限定がなされた。
（２）「カレンダー窓」の位置に関して、「３時〜５時の位置にあって」との限定がなされた。
（３）カレンダー窓を構成する「横方向の二辺」に関して、「前記カレンダー窓に表示されている前記日付文字とその隣の日付文字の間又は前記カレンダー窓に表示されている前記曜日文字とその隣の曜日文字との間に設けられ」との限定がなされた。
　　
　そして、当該補正は、平成１８年改正前特許法第１７条の２第４項第２号に規定する特許請求の範囲の減縮を目的とするものに該当する。
　
　そこで、本件補正後の請求項１に係る発明が、特許出願の際独立して特許を受けることができるものであるか（平成１８年改正前特許法第１７条の２第５項において準用する同法第１２６条第５項の規定に適合するか）について、以下に検討する。
　
　２　独立特許要件について
（１）補正後の請求項１に係る発明（以下、「補正後第１発明」という。）は、本件補正により補正された明細書、及び図面の記載からみて、以下のとおりのものである。
「文字板上にカレンダー窓を設け、前記文字板の下面に、周辺部に１〜３１までの日付文字を記したリング状の日車や日曜日〜土曜日までの曜日文字を記した曜車を配置し、前記日車や前記曜車を日毎に回転させて前記カレンダー窓に、前記日付文字や前記曜日文字を覗かせることによって、日付や曜日の表示を行うカレンダー時計において、
　前記カレンダー窓は、３時〜５時の位置にあって、前記文字板の3時と9
時を結ぶ線に平行な横方向の二辺とこの横方向の二辺に直角な縦方向の二辺とよりなる四辺で構成され、且つ横方向の二辺が縦方向の二辺より長く形成されていると共に、前記横方向の二辺は前記カレンダー窓に表示されている前記日付文字とその隣の日付文字の間又は前記カレンダー窓に表示されている前記曜日文字とその隣の曜日文字との間に設けられ、更に前記四辺のうちの前記横方向の二辺はそれぞれ同じ曲率半径であるｒ１を有する曲線によって前記カレンダー窓の外側に向かって膨らんだ樽型の形状をなしていると共に前記曲率半径ｒ１を４．０〜６．０ｍｍの範囲に設けることを特徴とするカレンダー時計。」
　
　（２）引用例
　ア　原査定の拒絶の理由に引用され、本願の出願前に頒布された刊行物である実願平２−１２０８６８号（実開平４−７８５９０号）のマイクロフィルム（以下、「引用刊行物」という。）には、以下の事項が図面とともに記載されている。
　（ア）　「〔産業上の利用分野〕
　本考案はカレンダ付き時計に関するものである。」（明細書第１頁第１７行〜第２頁第１行）
　
　（イ）　「〔考案の概要〕
　本考案はカレンダ付き時計において、円周上に日付けを有した日車と、該日車と重なる、前記日車と同一円周上に曜日文字と透視窓を有する曜車と前記日車の日付と曜車の曜日を表示する窓を有する文字板を用いることにより、前記文字板の窓を介して、同一円周上にカレンダ表示を行うものである。」（明細書第２頁第２〜９行）
　
　（ウ）　「この考案の目的は、１つの文字板の窓から日付と曜日を見やすく表示するカレンダ付時計を得ることにある。」（明細書第３頁第３〜５行）
　
　（エ）　「〔実施例〕
　以下に本考案の実施例を図面に基づいて説明する。第１図は本考案のムーブメントの平面図である。曜車１０の円周上に曜日を表わす「ＳＡＴＵＲＤＡＹ」など７つの曜文字１０ａと、７個の透視窓１０ｂを等分割に形成する。日車３は、前記曜車の文字と透視窓と同一円周上に日付けを表わす１から３１の数字３ａが前記曜文字１０ａと同一方向に表わされている。また曜車は文宇部を除き透明色で形成されれば、透視窓は不要である。
　第２図においては、前記ムーブメントをコンプリートにしたものである。文字板の円周上の窓を介し、曜日「ＳＡＴＵＲＤＡＹ」日付け「６」を同一円周上に表示している。」（明細書第３頁第１９行〜同第４頁第１２行」）
　
　（オ）　「第６図は本考案の他の実施例を示すコンプリートの平面図であり、日付け及び曜日を３時位置にレイアウトしたものである。」（明細書第６頁第３〜５行）
　
　（カ）　「また従来と比べ、曜車の曜日を表わす文字の円周が大きくなることにより、曜日の表示面積を向上させ見やすい表示ができるという効果がある。」（明細書第６頁第１１〜１３行）
　
　カレンダ付き時計が図示された第１〜４図、第６図から、以下の事項を読み取ることができる。
・第４図には、文字板と時計の指針が２点鎖線で示されている。
・日車３と曜車１０は、文字板の下面に配置されている。
・第３，４図から、日車３と曜車１０の形状は、中心部が穴あきの円板状である。
・第６図から、例えば「ＳＡＴ」や「６」が表示されている窓は、文字板のIIIとIXを結ぶ線に沿った横方向の二辺とこの横方向の二辺に直角な縦方向の二辺とよりなる四辺で構成され、且つ横方向の二辺は縦方向の二辺より長く形成されていると共に、更に前記四辺のうち前記横方向の二辺はそれぞれ連続した２つの線分からなり、窓の外側に向かって膨らんだ形状をしている。
　
　イ　上記記載事項（ア）ないし（カ）及び図面から、以下の事項を読み取ることができる。
　（ア）　記載事項（イ）から、カレンダ付き時計は、日付けや曜日を表示する窓を有する文字板を用いている。
　（イ）　記載事項（エ）及び第１図から、曜車１０の外周部にはＳＵＮＤＡＹ〜ＳＡＴＵＲＤＡＹまでの曜文字１０ａが、また、日車３の外周部には１〜３１までの数字３ａが表されている。
　（ウ）　記載事項（エ）及び第２図から、文字板の窓を介して、例えば日付け「６」や曜日「ＳＡＴＵＲＤＡＹ」が表示されている。
　（エ）記載事項（イ）、（オ）及び第６図から、文字板の窓は３時位置にレイアウトされている。
　
　ウ　したがって、記載事項（ア）ないし（カ）及び図面の記載を総合すれば、引用刊行物には、次のとおりの発明（以下、「引用例発明」という。）が記載されているものと認められる。
　　【引用例発明】
　「文字板は窓を有し、前記文字板の下面に、外周部に１〜３１までの数字３ａを表した中心部が穴あきの円板状の日車３やＳＵＮＤＡＹ〜ＳＡＴＵＲＤＡＹまでの曜文字１０ａを表した中心部が穴あきの円板状の曜車１０を配置し、文字板の前記窓を介して、例えば日付け「６」や曜日「ＳＡＴＵＲＤＡＹ」を表示させることによって、日付けや曜日の表示を行うカレンダ付き時計において、
　前記窓は３時位置にレイアウトされ、前記文字板のIIIとIXを結ぶ線に沿った横方向の二辺とこの横方向の二辺に直角な縦方向の二辺とよりなる四辺で構成され、且つ横方向の二辺は縦方向の二辺より長く形成されていると共に、更に前記四辺のうちの前記横方向の二辺はそれぞれ連続した２つの線分からなり、前記窓の外側に向かって膨らんだ形状をしているカレンダ付き時計。」
　
　（３）対比
　補正後第１発明と引用例発明を比較する。
　
　ア　引用例発明の「文字板」は、補正後第１発明の「文字板」に相当し、同様に「窓」は「カレンダー窓」に、「外周部」は「周辺部」に、「数字３ａ」は「日付文字」に、「表した」は「記した」に、「中心部が穴あきの円板状」は「リング状」に、「日車３」は「日車」に、「ＳＵＮＤＡＹ〜ＳＡＴＵＲＤＡＹ」は「日曜日〜土曜日」に、「曜文字１０ａ」は「曜日文字」に、「曜車１０」は「曜車」に、それぞれ相当する。
　したがって、引用例発明の「文字板は窓を有し、前記文字板の下面に、外周部に１〜３１までの数字３ａを表した中心部が穴あきの円板状の日車３やＳＵＮＤＡＹ〜ＳＡＴＵＲＤＡＹまでの曜文字１０ａを表した中心部が穴あきの円板状の曜車１０を配置し」は、補正後第１発明の「文字板上にカレンダー窓を設け、前記文字板の下面に、周辺部に１〜３１までの日付文字を記したリング状の日車や日曜日〜土曜日までの曜日文字を記した曜車を配置し」に相当する。
　
　イ　
（ア）引用例発明の「日付け」は補正後第１発明の「日付」に相当し、同様に、「曜日」は「曜日」に、「カレンダ付き時計」は「カレンダー時計」に、それぞれ相当する。　　
（イ）、引用例発明の「日付け「６」」は、１〜３１までの「６」という数字３ａであり、「曜日「ＳＡＴＵＲＤＡＹ」」は、ＳＵＮＤＡＹ〜ＳＡＴＵＲＤＡＹまでの「ＳＡＴＵＲＤＡＹ」という曜文字１０ａであることは明らかである。
（ウ）カレンダ付き時計において、文字板の窓に表示される日付けや曜日は、日車や曜車を日ごとに回転させて表示されるものであることは技術常識にすぎない。
（エ）引用例発明の「文字板の前記窓を介して、例えば日付け「６」や曜日「ＳＡＴＵＲＤＡＹ」を表示させること」は、補正後第１発明の「前記カレンダー窓に、前記日付文字や前記曜日文字を覗かせること」に相当する。
　したがって、引用例発明の「文字板の前記窓を介して、例えば日付け「６」や曜日「ＳＡＴＵＲＤＡＹ」を表示させることによって、日付けや曜日の表示を行うカレンダ付き時計」は、補正後第１発明の「前記日車や前記曜車を日毎に回転させて前記カレンダー窓に、前記日付文字や前記曜日文字を覗かせることによって、日付や曜日の表示を行うカレンダー時計」に相当する。
　
　ウ　
（ア）引用例発明の「前記窓は３時位置にレイアウトされ」は、補正後第１発明の「前記カレンダー窓は、３時〜５時の位置にあって」に相当する。
（イ）引用例発明の「文字板のIIIとIXを結ぶ線」は、補正後第１発明の「文字板の３時と９時を結ぶ線」に、同様に「沿った」は「平行な」に相当する。
（ウ）引用例発明の「前記文字板のIIIとIXを結ぶ線に沿った横方向の二辺とこの横方向の二辺に直角な縦方向の二辺とよりなる四辺で構成され」は、補正後第１発明の「前記文字板の３時と９時を結ぶ線に平行な横方向の二辺とこの横方向の二辺に直角な縦方向の二辺とよりなる四辺で構成され」に相当する。　
（エ）引用例発明の「横方向の二辺は縦方向の二辺より長く形成されている」は、補正後第１発明の「横方向の二辺が縦方向の二辺より長く形成されている」に相当する。
（オ）引用例発明の「前記窓の外側に向かって膨らんだ形状」と補正後第１発明の「前記カレンダー窓の外側に向かって膨らんだ樽型の形状」とは、前記カレンダー窓の外側に向かって膨らんだ形状の点で共通する。
　したがって、引用例発明の「前記四辺のうちの前記横方向の二辺はそれぞれ連続した２つの線分からなり、前記窓の外側に向かって膨らんだ形状をしている」と補正後第１発明の「前記横方向の二辺は前記カレンダー窓に表示されている前記日付文字とその隣の日付文字の間又は前記カレンダー窓に表示されている前記曜日文字とその隣の曜日文字との間に設けられ、更に前記四辺のうちの前記横方向の二辺はそれぞれ同じ曲率半径であるｒ１を有する曲線によって前記カレンダー窓の外側に向かって膨らんだ樽型の形状をなしていると共に前記曲率半径ｒ１を４．０〜６．０ｍｍの範囲に設けること」とは、前記四辺のうちの前記横方向の二辺は前記カレンダー窓の外側に向かって膨らんだ形状をなしている点で共通する。
　
　よって、引用例発明の「前記窓は３時位置にレイアウトされ、前記文字板のIIIとIXを結ぶ線に沿った横方向の二辺とこの横方向の二辺に直角な縦方向の二辺とよりなる四辺で構成され、且つ横方向の二辺は縦方向の二辺より長く形成されていると共に、更に前記四辺のうちの前記横方向の二辺はそれぞれ連続した２つの線分からなり、前記窓の外側に向かって膨らんだ形状をしている」と補正後第１発明の「前記カレンダー窓は、３時〜５時の位置にあって、前記文字板の３時と９時を結ぶ線に平行な横方向の二辺とこの横方向の二辺に直角な縦方向の二辺とよりなる四辺で構成され、且つ横方向の二辺が縦方向の二辺より長く形成されていると共に、更に前記四辺のうちの前記横方向の二辺は前記カレンダー窓の外側に向かって膨らんだ形状をなしている」とは、前記カレンダー窓は、３時〜５時の位置にあって、前記文字板の３時と９時を結ぶ線に平行な横方向の二辺とこの横方向の二辺に直角な縦方向の二辺とよりなる四辺で構成され、且つ横方向の二辺が縦方向の二辺より長く形成されていると共に、更に前記四辺のうちの前記横方向の二辺は前記カレンダー窓の外側に向かって膨らんだ形状をなしている点で共通する。
　
　よって、補正後第１発明と引用例発明の両発明は、次の一致点及び相違点を有する。
　【一致点】
　「文字板上にカレンダー窓を設け、前記文字板の下面に、周辺部に１〜３１までの日付文字を記したリング状の日車や日曜日〜土曜日までの曜日文字を記した曜車を配置し、前記日車や前記曜車を日毎に回転させて前記カレンダー窓に、前記日付文字や前記曜日文字を覗かせることによって、日付や曜日の表示を行うカレンダー時計において、
　前記カレンダー窓は、３時の位置にあって、前記文字板の３時と９時を結ぶ線に平行な横方向の二辺とこの横方向の二辺に直角な縦方向の二辺とよりなる四辺で構成され、且つ横方向の二辺が縦方向の二辺より長く形成されていると共に、更に前記四辺のうちの前記横方向の二辺は前記カレンダー窓の外側に向かって膨らんだ形状をなしているカレンダー時計。」
　【相違点】
　（相違点１）
　カレンダー窓を構成する横方向の二辺に関し、補正後第１発明では、「前記横方向の二辺は前記カレンダー窓に表示されている前記日付文字とその隣の日付文字の間又は前記カレンダー窓に表示されている前記曜日文字とその隣の曜日文字との間に設けられ」ているのに対して、引用例発明では、横方向の二辺が、数字３ａ（日付文字に相当）又は曜文字１０ａ（曜日文字に相当）に対してどのような位置関係で設けられているかが明確でない点
　（相違点２）
　横方向の二辺の形状に関し、補正後第１発明では、「それぞれ同じ曲率半径であるｒ１を有する曲線によって樽型の形状をなしていると共に前記曲率半径ｒ１を４．０〜６．０ｍｍの範囲に設けている」のに対して、引用例発明では、「それぞれ連続した２つの線分からなり、窓の外側に向かって膨らんだ形状をしている」点
　
（４）判断
　ア　相違点１について
　カレンダー時計において、文字板に形成される日窓から他の日付けの数字が見えないようにすることは周知技術（例えば、審判請求人が、本願明細書の段落【０００４】に特許文献１として開示している特開昭５１−９１７５９号公報；公報第１頁右下欄第１１行〜同第２頁左上欄第６行の記載参照）に過ぎなく、上記周知技術を引用例発明に適用することは困難なことではない。
　したがって、引用例発明の横方向の二辺について、相違点１のように、横方向の二辺はカレンダー窓に表示されている日付文字とその隣の日付文字の間又はカレンダー窓に表示されている曜日文字とその隣の曜日文字との間に設けられているように構成することは、引用例発明及び周知技術に基づいて当業者が容易に想到し得た事項である。
　
　イ　相違点２について
　引用例発明の窓を構成する「横方向の二辺」は、それぞれ連続した２つの線分からなり、窓の外側に向かって膨らんだ形状をしている。
　ところで、一般に、所定の２点間の辺を形成する直線でない線分として、ある曲率半径の円弧からなる曲線は、上記直線でない線分の選択肢のうちのありふれたものの１つといえる。
　してみると、引用例発明の窓を構成する「横方向の二辺」の形状を、所定の曲率半径を有する曲線による樽型の形状に変更することは、カレンダ付き時計において、文字板の窓に表示される日，曜日の文字の形状，大きさと該窓の外形の形状や大きさとのバランスを考慮して当業者が適宜に決定し得る事項であるといえる。
　
　なお、曲率半径ｒ１を４．０〜６．０ｍｍの範囲とすることについては、
本願明細書の段落【００３０】に、「上記カレンダー窓２６の上下の横方向の二辺２６ａ、２６ｂは同じ曲率半径ｒ１で外側に膨らんでいる。携帯時計の場合、カレンダー窓の縦、横の寸法は、男持ち、女持ちによって多少異なるが、概ね、縦１．４〜２．０ｍｍ、横１．９〜２．９ｍｍの範囲で設計される。このような寸法値の下では、二辺２６ａ、２６ｂの曲率半径ｒ１を４．０〜６．０ｍｍの範囲に設計するのが好適である。」と記載されているように、横二辺の曲率半径ｒ１を４．０〜６．０ｍｍの範囲に設けることは、「縦１．４〜２．０ｍｍ、横１．９〜２．９ｍｍとする特定の縦横寸法を有する携帯時計のカレンダー窓」に対して有用とされているにすぎないから、当該曲率半径の限定は単なる数値範囲の限定ということができ、設計事項に過ぎない。
　したがって、相違点２に係る本願補正発明の発明特定事項は、引用例発明に基づいて当業者が容易に想到し得た事項である。
　
　そして、補正後第１発明の奏する効果は、引用刊行物の記載及び周知技術から当業者が予測し得る範囲内のものにすぎず、格別なものとはいえない。
　
　よって、補正後第１発明は、引用例発明及び周知技術に基づいて当業者が容易に発明をすることができたものである。
　
　（５）むすび
　以上のとおり、補正後第１発明は、引用例発明及び周知技術に基づいて当業者が容易に発明をすることができたものであるから、特許法第２９条第２項の規定により特許出願の際独立して特許を受けることができない。
　したがって、本件補正は、平成１８年法律第５５号改正附則第３条第１項によりなお従前の例によるとされる同法第１２６条第５項の規定に違反するから、同法第１５９条第１項において読み替えて準用する同法第５３条第１項の規定により却下すべきものである。
　
第３　本願発明
　平成２１年２月１３日付けの手続補正は上記のとおり却下されたので、本願の請求項１に係る発明は、平成２０年６月９日付け手続補正によって補正された、明細書、及び図面の記載からみて、請求項１に記載された事項により特定されるとおりの、以下のもの（以下、「本願第１発明」という。）である。
「　文字板上にカレンダー窓を設け、前記文字板の下面に、周辺部に１〜３１までの日付文字を記した日車や日曜日〜土曜日までの曜日文字を記した曜車を配置し、前記日車や前記曜車を日毎に回転させて前記カレンダー窓に、前記日付文字や前記曜日文字を覗かせることによって、日付や曜日の表示を行うカレンダー時計において、
　前記カレンダー窓は文字板の3時と9時を結ぶ線に平行な横方向の二辺とこの横方向の二辺に直角な縦方向の二辺とよりなる四辺で構成され、且つ横方向の二辺が縦方向の二辺より長く形成されており、前記四辺のうちの前記横方向の二辺はそれぞれ同じ曲率半径であるｒ１を有する曲線によって前記カレンダー窓の外側に向かって膨らんだ樽型の形状をなしていると共に前記曲率半径ｒ１を４．０〜６．０ｍｍの範囲に設けることを特徴とするカレンダー時計。」
　
第４　引用例
　引用刊行物、及び、その記載事項は、前記「第２　２　（２）ア〜ウ」に記載したとおりでる。
　
第５　対比
　１　本願第１発明と引用例発明との対比
　本願第１発明と引用例発明とを比較すると、両者は、次の一致点及び相違点を有する。
　【一致点】
「文字板上にカレンダー窓を設け、前記文字板の下面に、周辺部に１〜３１までの日付文字を記した日車や日曜日〜土曜日までの曜日文字を記した曜車を配置し、前記日車や前記曜車を日毎に回転させて前記カレンダー窓に、前記日付文字や前記曜日文字を覗かせることによって、日付や曜日の表示を行うカレンダー時計において、
　前記カレンダー窓は文字板の３時と９時を結ぶ線に平行な横方向の二辺とこの横方向の二辺に直角な縦方向の二辺とよりなる四辺で構成され、且つ横方向の二辺が縦方向の二辺より長く形成されており、前記四辺のうちの前記横方向の二辺は前記カレンダー窓の外側に向かって膨らんだ形状をなしているカレンダー時計。」
【相違点】
　横方向の二辺の形状に関し、本願第１発明では、「それぞれ同じ曲率半径であるｒ１を有する曲線によって樽型の形状をなしていると共に前記曲率半径ｒ１を４．０〜６．０ｍｍの範囲に設けている」のに対して、引用例発明では、どのような形状であるかが明確でない点
　
第６　判断
　上記相違点は、前記「第２　２（３）対比」に記載した相違点２と同一である。
　したがって、相違点に係る本願第１発明の発明特定事項は、引用発明に基づいて当業者が容易に想到し得た事項である。　
　
　そして、本願第１発明の奏する効果は、引用刊行物の記載から当業者が予測し得る範囲内のものにすぎず、格別なものとはいえない。
　
　よって、本願第１発明は、引用例発明に基づいて当業者が容易に発明をすることができたものである。
　
第７　むすび
　以上のとおりであるから、本願第１発明は、引用例発明に基づいて当業者が容易に発明をすることができたものであるから、特許法第２９条第２項の規定により特許を受けることができない。
　そして、本願第１発明が特許を受けることができないものであるから、その余の請求項に係る発明について検討するまでもなく、本願は拒絶すべきものである。
　よって、結論のとおり審決する。